【事件の表示】
　特願２０１３−５０１３６４「チャネル案内情報を出力する方法及び装置」拒絶査定不服審判事件〔平成２３年　９月２９日国際公開、ＷＯ２０１１／１１９５２３、平成２５年　６月１３日国内公表、特表２０１３−５２３０５２〕について、次のとおり審決する。
【結　論】
　本件審判の請求は、成り立たない。
【理　由】
第１　手続の経緯及び本願発明
１　手続の経緯
　本件出願は、２０１１年（平成２３年）３月２２日（パリ条約による優先権主張外国庁受理２０１０年３月２２日、米国）を国際出願日とする出願であって、平成２６年１２月１１日付けで拒絶理由の通知がなされ、これに対し、平成２７年４月２２日付けで手続補正がなされたが、平成２７年１０月２６日付け（発送日同年１１月４日）で拒絶査定がなされた。
　本件は、上記拒絶査定を不服として平成２８年３月４日付けで請求された拒絶査定不服審判であり、請求と同時に手続補正がなされた。
 　 
２　本願発明
　平成２８年３月４日付け手続補正は、明細書の段落【００３９】、【００５４】の記載の補正である。
　本願の請求項１〜２１に係る発明は、平成２７年４月２２日付け及び平成２８年３月４日付け手続補正により補正された特許請求の範囲、明細書及び図面の記載からみて、その特許請求の範囲の請求項１〜２１に記載した事項により特定されるとおりのものであるところ、請求項１に係る発明は、次のとおりのものである（この発明を以下「本願発明」という。）。
 　 
（本願発明）
（Ａ）チャネル案内情報を出力する方法であって、
（Ｂ）ブロードキャストされる複数のチャネルに関する番組コンテンツ情報を取得するステップと、
（Ｃ）前記複数のチャネルのうちの第１の部分のチャネルにより或るタイムスパンにおいてブロードキャストされる番組コンテンツを表す第１の静止画像を出力するステップと、
（Ｄ）前記第１の静止画像を或る時間にわたって出力した後に、前記複数のチャネルのうちの第２の部分のチャネルにより前記タイムスパンにおいてブロードキャストされる番組コンテンツを表す第２の静止画像を出力するステップであって、前記第２の部分は、前記第１の部分に含まれる少なくとも１つのチャネルと前記第１の部分には含まれない少なくとも１つのチャネルとを含む、ステップと、
（Ｅ）を有する方法。
　　
（（Ａ）〜（Ｅ）は、当審で付与した。以下各構成要件を「構成要件Ａ」等という。）
　　
第２　引用文献の記載事項及び引用文献に記載された発明
１　引用文献１
（１）引用文献１の記載事項
　原査定における拒絶の理由に引用された特開２００２−２３２８０５号公報（以下「引用文献１」という。）には、「電子番組表処理装置」（発明の名称）に関し、図面と共に次に掲げる事項が記載されている。
（下線は当審が付与した。）
　　
「【０００１】
【発明の属する技術分野】この発明は、例えばＢＳ（Broadcasting Satellite）デジタル放送やＣＳ（Communication Satellite）デジタル放送において番組選択や録画予約を行うために表示される電子番組表（ＥＰＧ：Electronic Information Guide）の処理を行う電子番組表処理装置に適用して有用な技術に関する。」
　　
「【００２７】図１は、本発明を適用して好適な電子番組表処理装置としてのＢＳチューナの実施の形態を示すブロック図である。
【００２８】この実施の形態のＢＳチューナ１は、例えば、アンテナから受信され復調回路（図示略）により復調されたデジタル放送信号に付加されている不正視聴防止用のスクランブル信号を解除するデスクランブル回路１２と、
音声データ、映像データおよび番組情報を含んだＥＰＧデータなどが多重化されている放送信号から各データを分離抽出する受信手段としてのデマルチプレクサ１３
デマルチプレクサ１３により分離されたＥＰＧデータを一旦バッファリングしてシステム制御部２０に受け渡すデータ処理部１８
番組表生成手段として番組表データを生成する
システム制御部２０
【００２９】そして、操作部２１の操作によりチャンネル選択を行うことでシステム制御部２０がデスクランブル１２やデマルチプレクサ１３に制御信号を出力し、該制御信号に基づきデスクランブル１２やデマルチプレクサ１３により選択チャンネルの信号を抽出させることで、この選択チャンネルの信号がデコーダ１４，１５でデコードされて、該チャンネルの音声信号や映像信号が例えばテレビジョン装置などに出力される。そして、それにより該チャンネルの番組を視聴することが出来る。
【００３０】また、
操作部２１の操作、例えば、リモコンの番組表ボタンを押すことで、デマルチプレクサ１３により分離出力されたＥＰＧデータに基づきシステム制御部２０が所定の形式で電子番組表のデータを生成して信号変換回路１７に送ることで、現在テレビジョン装置等に表示出力されている映像の上に重ねて後述の電子番組表の表示がなされるようになっている
【００３１】また、
電子番組表の表示は、一定の時間間隔（例えば数秒）毎に自動で次のページへ切り換えられるように設定されている
【００３２】
ＥＰＧデータの放送は、全チャンネルの所定日数分の番組情報を１ブロックにまとめて、この１ブロックのデータが所定間隔（約５秒）毎に繰り返し送られてくるように規定されている
受信された１ブロックのＥＰＧデータの中からシステム制御部２０が必要な番組情報を抽出して、この抽出した番組情報のみをメモリ１９に格納する
　　
「【００３７】図２の第１形式例の
電子番組表は、番組表ボタンが押された時点で選択されていたチャンネル
と該選択チャンネルを中心に両隣の合計３チャンネルの番組情報が時系列に５時間分表示されたものである
【００３８】
そして、次ページ（ｂ）では前ページ（ａ）と同形式で前ページのものから同チャンネルで５時間分先に送った番組表に切り換えられる
【００３９】上記のような１ページに一度に表示される３チャンネル×５時間分の番組情報は、ユーザが各番組を参照するのに最適な情報量となる。なお、１ページの情報量を６時間分としたり、４チャンネル分としても、適度な情報量となる。また、
ページ送りの時間幅
１時間
重なりをもつようにページ送りを行う
【００４０】図３の第２形式例の電子番組表は、番組表ボタンが押された時点で選択されていたチャンネル（この図では「Ｎ＊Ｋ１０３」）と該選択チャンネルを中心に隣接する合計５チャンネルの番組情報が時系列に３時間分表示されたものである。番組表は縦方向にチャンネル、横方向に時間が表され、１行目と１列目はそれぞれ時間とチャンネルのインデックス欄となっており、第２列第２行目以降の各欄に番組情報が表示される。
【００４１】そして、次ページ（ｂ）では前ページ（ａ）と同じ形式で前ページのものから同チャンネルで３時間分先に送った番組表に切り換えられる。
【００４２】このように１ページに一度に表示される５チャンネル×３時間分の番組情報は、ユーザが各番組を参照するのに最適な情報量となる。なお、１ページの情報量を４時間分としたり、６チャンネルや７チャンネル分としても、適度な情報量となる。また、ページ送りの時間幅も現ページと次ページとの両方に同一時間帯の情報が含まれないように、１ページに表示される時間幅と同一時間幅分送るのがユーザが各番組を参照するのに最適ではあるが、１時間や３０分程度重なりをもつようにページ送りを行うようにしても適度さは失われない。」
　　
「【図２】
」
（２）引用文献１に記載された発明
　引用文献１には、電子番組表（ＥＰＧ）を処理すること（段落【０００１】等）が記載され、特に、一定の時間間隔（例えば数秒）毎に自動で次のページへ切り換えられる電子番組表の表示（段落【００３１】が記載されている。この『一定の時間間隔毎に自動で次のページへ切り換えられる電子番組表の表示』を方法の発明として認定する。
　　
　番組情報を含んだＥＰＧデータは、放送信号から分離され（段落【００２８】）、ＥＰＧデータは全チャネルの番組情報を含み（段落【００３２】）、受信された１ブロックのＥＰＧデータの中から、必要な番組情報を抽出する（段落【００３２】）から、当該方法は、『放送される複数のチャンネルの番組情報を取得するステップ』を有する。
　　
　「電子番組表は、番組表ボタンが押された時点で選択されていたチャンネルと該選択チャンネルを中心に両隣の合計３チャンネルの番組情報が時系列に５時間分表示され」る（段落【００３７】）。
　したがって、当該方法は、『番組表ボタンが押された時点で選択されていたチャンネルと該選択チャンネルを中心に両隣の合計３チャンネルの番組情報が時系列に５時間分の電子番組表が表示されるステップ』を有する。
　　
　「電子番組表の表示は、一定の時間間隔（例えば数秒）毎に自動で次のページへ切り換えられるように設定され」（段落【００３１】）、「次ページ（ｂ）では前ページ（ａ）と同形式で前ページのものから同チャンネルで５時間分先に送った番組表に切り換えられる」（段落【００３８】）。また、「ページ送りの時間幅」として「１時間重なりをもつようにページ送りを行う」（段落【００３９】）ことが開示されている。
　したがって、『一定の時間間隔毎に自動で次のページへ切り換えられるように電子番組表が表示されるステップであって、次のページは、前のページと同型式で前ページのものから同チャンネルで１時間重なりを持つように４時間分先に送った電子番組表である』を有する。
　　
　以上まとめると、引用文献１には、次の発明が記載されていると認められる。以下この発明を「引用発明」という。
　　
（引用発明）
（ａ）一定の時間間隔毎に自動で次のページへ切り換えられる電子番組表の表示方法であって、
（ｂ）放送される複数のチャンネルの番組情報を取得するステップと、
（ｃ）番組表ボタンが押された時点で選択されていたチャンネルと該選択チャンネルを中心に両隣の合計３チャンネルの番組情報が時系列に５時間分の電子番組表が表示されるステップと、
（ｄ）一定の時間間隔毎に自動で次のページへ切り換えられるように電子番組表が表示されるステップであって、次のページは、前のページと同型式で前ページのものから同チャンネルで１時間重なりを持つように４時間分先に送った電子番組表である、ステップと、
（ｅ）を有する方法。
　　
　なお、（ａ）〜（ｅ）は、構成を識別するために付与した。以下各構成を「構成ａ」等という。
　　
２　引用文献２
（１）引用文献２の記載事項
　原査定における拒絶の理由に引用された特開２００５−２０３９５５号公報（以下「引用文献２」という。）には、「電子番組表処理装置及び方法並びにコンピュータプログラム」（発明の名称）に関し、図面と共に次に掲げる事項が記載されている。
（下線は当審が付与した。）
　　
「【００７９】
　図４においては、受信可能なチャンネルとして、既定の６チャンネル以外にチャンネルＧ及びチャンネルＨを加えた計８チャンネルが受信可能な場合が示されている。この場合、一画面に受信可能なチャンネル全てを表示することはできないため、余剰となる２チャンネルは、ユーザによって与えられる所定の指示に従ってスクロール表示される様になっている。この「所定の指示」とは、例えば、リモートコントローラや操作パネル等の指示機器を所定操作することによって発生するものである。
図４（ａ）にはチャンネルＡからチャンネルＦまでの既定の６チャンネルが表示された状態、図４（ｂ）にはスクロール操作後にチャンネルＣからチャンネルＨが表示された状態がそれぞれ示される
【００８０】
　尚、係るスクロールの態様は自由であり、例えば、
一チャンネルずつ
複数チャンネル毎にスクロール
　　
「【図４】
」
　　
（２）引用文献２に記載された技術
　段落【００７９】、【００８０】の記載及び図４によれば、引用文献２には、『或るタイムスパンにおいて、ＥＰＧの表示を１つ又は複数のチャンネル毎にスクロールする』技術が開示されている。
　　
第３　対比
１　対比
　本願発明と引用発明とを対比する。
（１）構成要件Ａと構成ａとを対比する。
　引用発明の「電子番組表」は、本願発明の「チャネル案内情報」に相当する。
　また、「電子番組表の表示方法」は、電子番組表を出力しているともいえるから、「チャネル案内情報を出力する方法」といえる。
　したがって、本願発明と引用発明とは、「チャネル案内情報を出力する方法」として一致する。
　　
（２）構成要件Ｂと構成ｂとを対比する。
　引用発明の「放送される複数のチャンネルの番組情報」は、本願発明の「ブロードキャストされる複数のチャネルに関する番組コンテンツ情報」に相当する。
　したがって、本願発明と引用発明とは、「ブロードキャストされる複数のチャネルに関する番組コンテンツ情報を取得するステップ」を有する点で一致する。
　　
（３）構成要件Ｃと構成ｃとを対比する。
　構成要件Ｃの「前記複数のチャネル」は、構成要件Ｂの「ブロードキャストされる複数のチャネル」を指すものであり、構成要件Ｃの「前記複数のチャネルのうちの第１の部分のチャネル」は、「ブロードキャストされる複数のチャネル」の一部分のチャンネルを意味している。
　そして、構成ｃの「番組表ボタンが押された時点で選択されていたチャンネルと該選択チャンネルを中心に両隣の合計３チャンネル」は、「放送される複数のチャンネル」の一部分であるから、構成要件Ｃの「前記複数のチャネルのうちの第１の部分のチャネル」に相当する。
　また、構成ｃの「時系列に５時間分」は、構成要件Ｃの「或るタイムスパン」に相当する。
　さらに、構成ｃにおける「番組表が表示される」は、構成ｄによれば、「一定の時間間隔毎に自動で次のページへ切り換えられる」から、「番組表」が一定時間「表示される」ことであり、一定時間「番組表」が表示されるから、このように表示される「番組表」は「静止画」といえる。したがって、構成ｃにおける「番組表が表示される」は、「番組コンテンツを表す静止画を出力する」といえる。そして、この「静止画」は、「第１の静止画」ともいい得る。
　したがって、本願発明と引用発明とは、「前記複数のチャネルのうちの第１の部分のチャネルにより或るタイムスパンにおいてブロードキャストされる番組コンテンツを表す第１の静止画像を出力するステップ」を有する点で一致する。
　　
（４）構成要件Ｄと構成ｄとを対比する。
　構成ｄの「一定の時間間隔毎に自動で次のページへ切り換えられるように電子番組表が表示されるステップ」は、あるページが一定時間表示された後に、次のページが表示されるから、「前記第１の静止画像を或る時間にわたって出力した後に、ブロードキャストされる番組コンテンツを表す第２の静止画像を出力するステップ」として、本願発明と共通する。
　しかしながら、「ブロードキャストされる番組コンテンツ」が、本願発明においては、「前記複数のチャネルのうちの第２の部分のチャネルにより前記タイムスパンにおいて」ブロードキャストされる番組コンテンツであるのに対し、引用発明においては、「前記複数のチャネルのうちの第２の部分のチャネルにより前記タイムスパンにおいて」ブロードキャストされる番組コンテンツでない点で相違する。
　さらに、本願発明においては、「前記第２の部分は、前記第１の部分に含まれる少なくとも１つのチャネルと前記第１の部分には含まれない少なくとも１つのチャネルとを含む」のに対し、引用発明においては、そうではない点で相違する。
　　
（５）構成要件Ｅと構成ｅとを対比すると、「方法」として一致する。
　　
２　一致点、相違点
　以上より、本願発明と引用発明との一致点、相違点は、次のとおりである。
　　
（一致点）
　チャネル案内情報を出力する方法であって、
　ブロードキャストされる複数のチャネルに関する番組コンテンツ情報を取得するステップと、
　前記複数のチャネルのうちの第１の部分のチャネルにより或るタイムスパンにおいてブロードキャストされる番組コンテンツを表す第１の静止画像を出力するステップと、
　前記第１の静止画像を或る時間にわたって出力した後に、ブロードキャストされる番組コンテンツを表す第２の静止画像を出力するステップと、
　を有する方法。
　　
（相違点）
「前記第１の静止画像を或る時間にわたって出力した後に、ブロードキャストされる番組コンテンツを表す第２の静止画像を出力するステップ」における「ブロードキャストされる番組コンテンツ」が、本願発明においては、「前記複数のチャネルのうちの第２の部分のチャネルにより前記タイムスパンにおいて」ブロードキャストされる番組コンテンツであるのに対し、引用発明においては、「前記複数のチャネルのうちの第２の部分のチャネルにより前記タイムスパンにおいて」ブロードキャストされる番組コンテンツではなく、
　さらに、当該ステップにおいて、本願発明は、「前記第２の部分は、前記第１の部分に含まれる少なくとも１つのチャネルと前記第１の部分には含まれない少なくとも１つのチャネルとを含む」のに対し、引用発明においては、そうではない点　　
　　
第４　判断
　ＥＰＧを表示させて、ユーザが表示を操作する際に、全てのＥＰＧデータが画面上に表示されないから、画面上に表示されている時間帯をそのままに、表示されているチャネルをスクロールさせて、表示されていなかったチャネルの番組情報を表示させることは、よく知られており、また、引用文献２には、上記第２の２（２）のとおり、「或るタイムスパンにおいて、ＥＰＧの表示を１つ又は複数のチャンネル毎にスクロールする」技術が開示されていることを勘案すると、引用発明において、「前記第１の静止画像を或る時間にわたって出力した後に、ブロードキャストされる番組コンテンツを表す第２の静止画像を出力するステップ」における「ブロードキャストされる番組コンテンツ」を「前記複数のチャネルのうちの第２の部分のチャネルにより前記タイムスパンにおいて」ブロードキャストされる番組コンテンツとすることは、当業者が容易に想到し得ることである。
　そして、引用発明は、次のページは、前のページと時間方向に重なりを持つものであるから、上記のような容易想到の構成においては、「前記第２の部分は、前記第１の部分に含まれる少なくとも１つのチャネルと前記第１の部分には含まれない少なくとも１つのチャネルとを含む」ものとなる。
　　
　本願発明が奏する効果は、その容易想到である構成から当業者が容易に予測し得る範囲内のものであり、同範囲を超える顕著なものでもない。
　　
　なお、請求人は、平成２８年４月１９日付け補正書（請求の理由の補正）において、当該補正書に記載された補正案に基づく主張をしている。
　しかしながら、本願にはさらに拒絶の理由を通知する理由がなく、補正案を受け入れる理由がないから、請求人の主張は採用できない。
　　
第５　むすび
　以上のとおり、本願の請求項１に係る発明は、引用文献１、引用文献２に記載された発明に基づいて当業者が容易に発明をすることができたものであるから、特許法２９条２項の規定により特許を受けることができない。 
　　
　したがって、本願は、他の請求項について検討するまでもなく、拒絶すべきものである。
　　
　よって、結論のとおり審決する。